(57)【特許請求の範囲】
【請求項１】
用紙を折りたたみノリ付けして創作した紙製の使い捨て排尿補助器具で使用前には三角形で扁平（図３−Ｉ−（１），（２））であるが使用時にはテイパ−型の多角筒を呈し（図３−ＩＩ（１），（２））装着口補強のための本体と一体の縁取り（図３の符号１２）及びその縁取りの目的を兼ねる本体と一体の逆流防止膜（図３−ＩＩの符号１０，）を備えさせ，機構としては装着時には立ちあがって尿の逆流防止膜として機能するように工作（図３−ＩＩ−（２）符号１０’）し，また素材は紙なので撥水あるいは防水性を付加するので，施設内には誤っても流失させないようにその対策として細紐を結着できるはと目の打てるノブ（図３の符号９）を本体に一体として連なる紙を素材に使って工作付加して完全を期し，これらの機能と特徴を持たせた紙製で使い捨て式の携帯用排尿補助器具。
【発明の詳細な説明】
【技術分野】
【０００１】  本発明は，男性における排尿時において，着衣や床を尿によって汚さない為の排尿補助器具に関するもので，治療等医学的な直接事項は含まないものである。
【背景技術】
【０００２】  高齢になると，排尿の頻度が高くなりまた残尿感が在ったりして特に排尿の勢いが年齢を重ねるに伴って減衰し，その終末頃には吐出の勢いは極端に弱くなり，意識しても尿が纏わって着衣や床を汚す結果となる。特に最近の住宅に於けるトイレは和・洋式共に住宅面積の制約等によって大小兼用の事例が多く，後始末の苦情が聞こえて来る。【０００３】  云うまでもなく，排尿は重要な生理的な要求で，健康さのバロメ−タ−であり，終わった時点である種の爽快感を覚えるものである。しかし着衣等が汚れるという事は別の問題ではあっても，爽快感を超越して排尿そのものが煩わしくなる。
生きている限り意図的に止めることの出来ない生理的作用で寧ろ生きている事の査証の一つで非常に重要なことで誰しもその都度爽快感を感じながら終わりたいものである。【０００４】  ところで，排尿時に着衣や床が汚れるという事は最後まで勢いよく尿が吐出しない事に尽きるが，それらの原因の大部分は，疾病を原因とするものも含め生理的な機能の低下であり，其の機能低下の医学的な回復処置が基本ではあっても，このことはここでは範疇外として差し当たっての問題は排尿時に着衣や床の汚れることであり，それらを簡易な方法によって防除することが望まれている。なおこれらに関する文献には次のものがある。
【特許文献１】登録実用新案第３１０６４１７号
【非特許文献１】学会誌，医学系専門書，医薬品，健康補助食品の効能書き等々には原因や症状，効能についての記載はあるが，本発明に直接的にも間接的にも該当するような内容や表現の記載は見当たらない。
【発明の開示】
【発明が解決しようとする課題】
【０００５】  主に加齢によって生ずる機能低下や疾病を原因とする排尿時に於ける尿の吐出力の減衰，特に排尿の終末時には意識しても勢いよく吐出しなくなるために，尿が纏わって着衣や床等を汚す事態が生じ，医学的な治療とは別に，差し当たってはその汚染防除が望まれている。
【課題を解決する為の手段】
【０００６】  排尿の難易に係わる疾病やそれらの治療等医療分野は別にして，加齢や疾病のいずれを主要因とするにしろ，尿の吐出力が減衰してその結果尿が纏わっても，物理的（機械的）に被覆し，しかも体から距離をおいた位置で最終的な排出が出来るようにすれば，ここでの課題である着衣や床の汚れ防止は一応解決できるので，簡易な筒状あるいはテイパ−状等の器具を使用する事を手段として対応した。
【０００７】  なお，最も重要なのは，排尿の終末であり，吐出の勢いも量も減衰した状況下なので，器具に二次的に纏わって着衣や床を汚すことが起きないように当該補助器具図１，２は撥水性，使い捨ての紙製図３では少なくとも防水性を持たせる為に，そのような作用をする物質で内外面全体又は必要な一部を撥・防水剤によってコ−ティングを施し，使用時は常に補助器具本体が適当な角度で下向きに安定的に位置するように装着口に角度と鍔を付け、紙製の折りたたみ式では装着口の縁取りによる補強と別にその補強を兼ねた逆流防止膜を付加して完全を期した。
【発明の効果】
【０００８】  着衣や床の汚れは完全に防除できる。家庭内においての使用は勿論であるが、沈動式あるいは紙製の折たたみ式では，小型化でき携帯が容易となるので，他人に殆ど知られることなく処理でき，外出に際して排尿についての幾つか在る気がかりの内，その一端は解消したので積極的に外出を検討できるようになる。
【０００９】  また家庭内では主に掃除等後始末を分担していたご婦人に評価が高く，座って排尿することを要求されていた想像以上に多くの男性諸侯も喝采するだろうと云う。避けて通れない生理的な要求が爽快に処理できることは甚だ喜ばしい。
【発明を実施する為の最良の形態】
【００１０】  排尿は重要な生理現象である。排尿のスム−スに終わった後は爽快感が漲る。しかし疾病は勿論，加齢してくると疾病とまでは云えなくとも残尿感があったり頻尿になったりし，加えて本意ではなくとも着衣や床等を汚すとなると，本来終わった後に爽快感を伴う事柄だけに逆に不快感が残る。
【００１１】  ところで，鉄道や電車のタ−ミナル駅等でよく観ることであるが，着衣を汚してトイレから出てくる深刻な顔，気付いているか否かは不明であるがそしらぬ顔，気にしながら歩く顏，手洗いの前で処理している困惑の顔あるいは排尿の最後にハンカチ等を当て人知れず着衣の汚れを防ぐ工夫をしている人等々夫々であるが，高齢化の進行する時代，多数の人が深刻な問題として捉えているように観える。
【００１２】  このような実態を踏まえた上で，本発明による排尿補助器具について，図面によって説明する。
【００１３】  図１−Ｉは，装着が抵抗なく出来る程度の内径で，適当な長さのパイプに逆流を防ぐ為に下向きの角度を付けて使用できるように，その使用角度に見合う角度を付けた切り口とそれに沿う鍔を付加した排尿補助器具である。図１−ＩＩは，図１−Ｉにテイパ−をつけた例である。
【００１４】  図２−Ｉが筒を沈動式によって伸縮が自在に調整できるようにして主に携帯用として使用するテイパ−をつけた排尿補助器具の使用時の全体側面図である。図２−ＩＩがその断面図であり先端方向に対する各節の抜け落ち防止を兼ねた継ぎ目に於ける尿の防漏用パッキン５や各節の後端方向に対しての脱落防止環６を例示した。図２−ＩＩＩは携帯するために縮小した状態の姿図であり長さ（高さ）は節の数にもよるが，この例では使用時（伸長時）のおよそ４分の１に縮小することになるので携帯し易くなる。なお「特許文献１；登録実用新案３１０６４１７号」と異なるのは装着時（使用時）に逆流しないように適当な角度で自動的に下向きとなるように装着口に角度を，またそれに沿うよう角度を付けた鍔を付加したことを特徴とした点と防漏用のパッキンを付加して器具作動部からの尿漏れを防ぐようにした事である。
【００１５】  図３−Ｉが折りたたんだ紙製の補助器具側面図（１）で三角形を呈する。（２）が装着口３となる装着面のたたんだ斜視図である。（３）が先端吐出側のＢ−Ｂ’における断面図である。図３−Ｉ−（１）に↑↓印によって示したようにそれらの位置を上下に同時に指でつまむと装着口３が開いて図３−ＩＩ−（１）に示す側面姿図がテイパ−型の多角筒を呈する。開口したその装着口側を姿図として示す図３−ＩＩ−（２）のように装着時に下側となる補強用縁取りの内面側に意図的に縁取りの一枚を利用した逆流防止膜が装着面の開口に伴って自動的に立ち上がって拡張するようにその中央をのり付け１０’によって短縮するための加工をした。なお装着口は逆流訪止膜を備えた縁取りを付加して補強し又装着時に適当な下向きの角度が保てるようにもしたので鍔の付加はこの事例では割愛した。
【００１６】  使用実態は各型ともに鍔を又は紙製の折りたたみ式では補強用の縁取りの稜線を体に密着するように軽く押し付けるように装着すると，排尿補助器具の本体は適当な下向き角度でその先端は着衣や床を汚さない程度に位置する長さなので排尿すればよい。なお当該補助器具からの吐出口は図１−Ｉの直筒式を除くと小さいので一拍程度遅れはするが臨場感は十分に醸せる。
【００１７】  又下向きの角度がついている事と器具本体の内側と先端の外側あるいは内外面全体には，衛生面を考慮して洗浄が行い易い事を兼ね液体をはじく作用を利用して尿が器具に二次的に纏わり衣服や床を汚染することを防除する為に撥水加工を施した。
【００１８】  紙製の折りたたみ式では防水を更に厳重に行うが，本来は折りたたんで携帯し，使い捨てを意図したものである。しかしことの性質上防水（撥水）加工を余儀なくされるので，施設内に流失させると長時間残存しトラブルの原因となる。現況では誤って落とし施設中に流入させることを含めて在ってはならないので使用時に簡易な方法による落下流入防止の細紐を付けられるように，ノブ９とはと目８とを付加した。
【００１９】  使用感は，いずれの型式も極めてよく，安心感が持てて着衣や床を汚すことは無くなった。
【図面の簡単な説明】
【００２０】
【図１】直筒式排尿補助器具。Ｉ直筒型側面図。ＩＩテイパ−型側面図。
【図２】沈動式排尿補助器具。Ｉ沈動テイパ−型使用時の側面図。ＩＩ図２−Ｉの断面図。ＩＩＩ図２−Ｉの携帯時における収納図。
【図３】折りたたみ式排尿補助器具。Ｉ−（１）本体側面図。（２）装着面。（３）吐出側の断面。ＩＩ−（１）装着時における側面の姿図。（２）装着時における開口面の姿図。
【符号の説明】
【００２１】  １．補助器具本体。
２．鍔。
３．装着口。
４．防漏用パッキン兼各節の脱落肪止。
５．パッキンの接触面（防漏面）。
６．各節の脱落訪止のための環。
７．吐出口。
８．はと目（旒設内への脱落防止−回収用−細紐結着用）。
９．のぶ（脱落防止紐を結着するハト目用）。
１０．逆流防止膜（拡張時）。
１０’．ノリしろ（接着済み）
１１．折り目
１２．縁取り（装着口の補強）
【図１】
0005071757.tif 000002
【図２】
0005071757.tif 000003
【図３】
0005071757.tif 000004